(57)【要約】【課題】フィルムロールのフィルムがなくなってしまった場合であっても、容易に予備のフィルムロールを使用できるようにしたラップマシーンを提供する。【解決手段】フィルムロール７からフィルムを繰り出してロールベール９に巻き付けるラップマシーン１において、フィルムロール７からフィルムをストレッチさせながら繰り出すストレッチ部６に隣接して、複数本のフィルムロール７を保持する挿入桿５を備えた回転保持部４０を設ける。そして、この回転保持部４０を回転させることによって、予備のフィルムロール７を順次使用できるようにする。この回転保持部４０には、挿入桿５が最も外側に位置した場合に、上部フレーム４５に設けられたフック４８の爪４８ａを退避部４７に退避させて、フック４８の解除を行えるようにし、これによって挿入桿５を傾倒させてフィルムロール７を挿入できるようにする。【選択図】図２
2018157789.tif 000002
【特許請求の範囲】
【請求項１】
フィルムロールからフィルムを繰り出してロールベールに巻き付けるラップマシーンにおいて、
フィルムロールから繰り出されたフィルムをストレッチさせるストレッチ部と、
当該ストレッチ部に供給されるフィルムを保持するフィルムロール用の挿入桿とを備え、
前記ストレッチ部に隣接して平行に設けられた複数の挿入桿を、前記ストレッチ部の近傍まで移動させる移動部を設けるようにしたことを特徴とするラップマシーン。
【請求項２】
前記移動部が、前記複数の挿入桿を円弧状に移動させる回転保持部で構成されるものである請求項１に記載のラップマシーン。
【請求項３】
前記移動部が、前記複数の挿入桿を直線状に移動させるように構成されるものである請求項１に記載のラップマシーン。
【請求項４】
前記移動部に、挿入桿の位置を固定する固定部を設けるようにした請求項１に記載のラップマシーン。
【請求項５】
特定の位置に挿入桿が位置した場合にのみ、当該挿入桿の傾倒を許容させる傾倒許容部を設けるようにした請求項１に記載のラップマシーン。
【発明の詳細な説明】
【技術分野】
【０００１】
本発明は、ロールベールの外周にフィルムを巻き付けるようにしたラップマシーンに関するものであって、より詳しくは、予備のフィルムロールを保持できるようにしたラップマシーンに関するものである。
【背景技術】
【０００２】
一般に、ロールベールにフィルムを巻き付けるようにしたラップマシーンは、ロールベールを載置するターンテーブルや、このターンテーブルに載置されたロールベールを回転させる回転機構、薄いフィルムを繰り出すフィルムユニットなどを備えて構成されている。そして、このようなロールベールにフィルムを巻き付ける場合は、フィルムユニットからフィルムをストレッチさせながら繰り出すとともに、鉛直軸および水平軸を中心にロールベールを回転させてフィルムを全体的に巻き付けるようにしている（特許文献１など）。
【０００３】
ところで、このようなフィルムロールは、圃場での交換が可能なように、例えば、ラップマシーンとトラクターの連結フレームなどに櫛状の挿入桿を設けておき、そこに複数本の予備のフィルムロールを挿入して保管するようにしていた。
【先行技術文献】
【特許文献】
【０００４】
【特許文献１】特開２０１５−２２６５１５号公報
【発明の概要】
【発明が解決しようとする課題】
【０００５】
しかしながら、このような位置に挿入桿を設けてフィルムロールを保管する場合、フィルムを巻き付けている途中でフィルムがなくなると、連結フレームの挿入桿からフィルムロールを抜き出してセットしなければならず、その作業に時間がかかってしまう。
【０００６】
また、一般にフィルムロールは１８ｋｇ〜２５ｋｇと大変重いものであり、また、高低差のある挿入桿やフィルムユニットの位置まで何度も抜き差ししなければならないため、背丈の低い作業者や体力のない作業者にとっては、その作業が大変なものとなっていた。
【０００７】
そこで、本発明は、上記課題に着目してなされたもので、フィルムロールのフィルムがなくなってしまった場合であっても、容易に予備のフィルムロールを使用できるようにしたラップマシーンを提供することを目的とする。
【課題を解決するための手段】
【０００８】
すなわち、本発明は上記課題を解決するために、フィルムロールからフィルムを繰り出してロールベールに巻き付けるラップマシーンにおいて、フィルムロールから繰り出されたフィルムをストレッチさせるストレッチ部と、当該ストレッチ部に供給されるフィルムを保持するフィルムロール用の挿入桿とを備え、前記ストレッチ部に隣接して平行に設けられた複数の挿入桿を前記ストレッチ部の近傍まで移動させる移動部を設けるようにしたものである。
【０００９】
このように構成すれば、予備のフィルムロールをストレッチ部の一番近い位置に移動させ、そこからストレッチ部で押圧させながらフィルムを繰り出していくことができるようになる。
【００１０】
また、このような発明において、移動部を設ける場合、前記複数の挿入桿を円弧状に移動させる回転保持部を設けるようにする。
【００１１】
このように構成すれば、狭い領域内に複数本のフィルムロールを保持することができるようになる。また、複数本の予備のフィルムロールを保持した状態で、回転保持部の中心に荷重を掛けることができるため、安定して複数本の予備のフィルムロールを保持させることができるようになる。
【００１２】
もしくは、複数の挿入桿を直線状に移動させるように構成することもできる。
【００１３】
このように構成した場合も、挿入桿を横方向にスライドさせてストレッチ部の一番近い位置に挿入桿を位置させて使用することができる。
【００１４】
さらに、このような移動部を設ける場合、挿入桿の位置を固定する固定部を設けるようにする。
【００１５】
このように構成すれば、フィルムロールをストレッチ部に最も近い位置に挿入桿を固定し、そこから安定してフィルムを繰り出すことができるようになる。
【００１６】
また、特定の位置に挿入桿が位置した場合にのみ、当該挿入桿の傾倒を許容させる傾倒許容部を設けるようにする。
【００１７】
このように構成すれば、フィルムロールを取り付けやすい位置でのみ挿入桿を傾倒させてフィルムロールを挿入することができ、フィルムロールがトラクターやラップマシーンなどに当たってしまうようなことがなくなる。
【発明の効果】
【００１８】
本発明によれば、フィルムロールからフィルムを繰り出してロールベールに巻き付けるラップマシーンにおいて、フィルムロールから繰り出されたフィルムをストレッチさせるストレッチ部と、当該ストレッチ部に供給されるフィルムを保持するフィルムロール用の挿入桿とを備え、前記ストレッチ部に隣接して平行に設けられた複数の挿入桿を前記ストレッチ部の近傍まで移動させる移動部を設けるようにしたので、予備のフィルムロールをストレッチ部の一番近い位置に移動させ、そこからストレッチ部で押圧させながらフィルムを繰り出していくことができるようになる。
【図面の簡単な説明】
【００１９】
【図１】本発明の一実施の形態を示すラップマシーンの概略図
【図２】同形態におけるフィルムユニットに７５ｃｍ幅のフィルムロールを保持させた状態を示す図
【図３】同形態におけるフィルムユニットに５０ｃｍ幅のフィルムロールを段違いに保持させた状態を示す図
【図４】同形態におけるフィルム保持部の上部フレームを示す図
【図５】同形態におけるフィルム保持部の回転保持部や下部フレームを示す概略図
【図６】同形態におけるフィルム保持部を下方から見た図
【図７】同形態におけるストレッチ部の原理を示す図
【図８】同形態におけるベール支持台を傾斜させてロールベールを放出する際の状態図
【発明を実施するための形態】
【００２０】
以下、本発明の一実施の形態について図面を参照して説明する。
【００２１】
この実施の形態におけるラップマシーン１は、図１に示すように、ロールベール９を載置して回転させるターンテーブル２と、このターンテーブル２によって回転するロールベール９にフィルムをストレッチさせて繰り出すようにしたストレッチ部６などを備えて構成されている。そして、特徴的に、このストレッチ部６に隣接して、複数本のフィルムロール７を保持する回転保持部４０を設けておき、その回転保持部４０に保持されたフィルムロール７を周回させながら選択して使用できるようにしたものである。以下、本実施の形態におけるラップマシーン１の構成について詳細に説明する。
【００２２】
まず、ロールベール９を支持させた状態で回転させるターンテーブル２は、ベール支持台２３の上に支持されるものであって、図１に示すように、前後一定間隔をもって平行に設けられた一対のローラー２１と、そのローラー２１の間に張架されるベルト２２を備えて構成されている。そして、ローラー２１をその軸芯に沿って回転させることで、水平軸を中心としてロールベール９を回転させるとともに、ターンテーブル２の下方に設けられた図示しないモーターを用いて鉛直軸を中心としてターンテーブル２を回転させるようにしている。
【００２３】
このターンテーブル２の側方には、フィルムユニット３が設けられる。このフィルムユニット３は、このターンテーブル２に載置されたロールベール９に対して、薄いフィルムをストレッチさせながら繰り出せるようにしたものであって、本体のフレームから起立する支柱３１の上端に設けられる。
【００２４】
このフィルムユニット３は、複数本のフィルムロール７の位置を変えられるように保持するフィルム保持部４と、そのフィルム保持部４で保持されたフィルムロール７のフィルムをストレッチさせながら繰り出すストレッチ部６とを有するように構成されている。
【００２５】
このうち、フィルム保持部４は、図２から図６に示すように、支柱３１の下方で回転可能に取り付けられた回転保持部４０と、その回転保持部４０の同心円上に設けられた複数本の平行な挿入桿５などを備えて構成されており、こられの挿入桿５にフィルムロール７を挿入させて保持させるようになっている。この挿入桿５は、図５や図６に示すように、回転保持部４０の外縁から内側に向けて切り込んだ溝部４１の内部に設けられたヒンジ４１ａを介して取り付けられており、そのヒンジ４１ａを中心に傾動させるようになっている。そして、このように挿入桿５を傾動させることで、上端からフィルムロール７を挿入できるようにしており、このフィルムロール７を挿入した挿入桿５を戻す場合は、図４に示すように、その上端側を前記支柱３１を中心に回転可能に設けられた上部フレーム４５の溝部４６に差し込み、その状態で固定部であるフック４８を介して係止させるようにしている。このフック４８は、バネ４８ｂを介して常に挿入桿５を係止させるように力を付勢しており、その係止状態を解除する場合は、逆方向に力を付与することで係止状態を解除できるようになっている。
【００２６】
ところで、この挿入桿５を傾倒させる場合、不用意な位置で挿入桿５を傾倒させると、フィルムロール７がラップマシーン１の本体に接触したり、トラクターに接触して破損する可能性がある。このため、この挿入桿５は、ラップマシーン１の最も外側の位置（図１における紙面手前側）にフィルムロール７が位置した場合にのみ、固定部であるフック４８などを解除できるようにしている。このフック４８を解除する場合は、図４に示すように、支柱３１の中心側に取り付けられた円板４７ａにフック４８の爪４８ａを退避させる退避部４７を設けておき、フィルムロール７がラップマシーン１の最も外側に位置した場合にのみ、支点を介してフック４８を回動させるようにしている。これにより、フック４８が回動した際に爪４８ａが退避部４７の内側に入り込むようになるため、フック４８の回動が許容される。一方、それ以外の位置では、フック４８部の爪４８ａが円板の外周に当接するため、回動することができない。これにより、フィルムロール７が外側に位置した場合にのみフック４８を解除させることができるようになる。
【００２７】
また、このようにフィルムロール７が最も外側に位置した状態で挿入桿５を傾倒させる場合、フック４８の解除とともに、図５および図６に示すように、挿入桿５の下側に設けられたストッパー片４９も解除させて挿入桿５を傾倒させるようにする。このストッパー片４９は、回転保持部４０の下方でバネを介して下方に傾動させるように設けられており、その先端部分を挿入桿５に当接させるようにしている。これにより、ストッパー片４９の先端が挿入桿５の下方部分に当接し、挿入桿５の傾倒が防止される。一方、その挿入桿５を傾倒させる場合は、そのストッパー片４９を下方に傾倒させることで、挿入桿５を傾倒させるようにする。
【００２８】
この挿入桿５を支持する回転保持部４０は、支柱３１を中心とする同心円上にフィルムロール７を保持させるようにしたもので、特定の位置でその支柱を中心とする回転状態が固定されるようになっている。この回転保持部４０を固定させる場合は、図５や図６に示すように、回転保持部４０の下方に設けられた下部フレーム４２からピン４３を上方向に挿入するとともに、その先端部分を回転保持部４０の下方に設けられた凹部４４に嵌合させ、これによって、回転保持部４０の回転状態を固定させる。これにより、フィルムロール７の位置が固定され、安定してフィルムをストレッチ部６に供給させることができるようになる。
【００２９】
一方、これらの挿入桿５には、フィルム幅の異なる（例えば、７５ｃｍ幅、５０ｃｍ幅など）複数種類のフィルムロール７を保持させるための複数の穴部５１が設けられており、ここにピンを差し込むことで軸芯保持部５３の高さを変えてフィルムロール７を保持させるようになっている。このフィルムロール７を保持させる場合、例えば、図２に示すように、７５ｃｍ幅のフィルムロール７を取り付ける場合は、最下部の穴部５１にピン５２を差し込んでフィルムロール７を保持させ、そのフィルムロール７の上端部に押圧部５４で押圧させて浮き上がりを防止する。一方、５０ｃｍ幅のフィルムロール７を取り付ける場合は、下から２番目の穴部５１にピン５２を差し込んでフィルムロール７を取り付けるか、あるいは、図３に示すように、最下部の穴部５１と２番目の穴部５１にピン５２を差し込んで隣接するフィルムロール７を段違いに取り付けるようにする。このように段違いにフィルムロール７を取り付けると、互いにオーバーラップさせた状態で二本のフィルムロール７からフィルムを繰り出すことができ、幅広くロールベール９にフィルムを巻き付けることができるようになる。また、いずれか一方のフィルムロール７がなくなった場合は、回転保持部４０を回転させることで、隣接する段違いのフィルムロール７を用いてフィルムを繰り出して使用することもできるようになる。
【００３０】
ストレッチ部６は、フィルムロール７から繰り出されたフィルムを１５０％〜１８０％ストレッチさせて繰り出せるようにしたものであって、図７の原理図に示すように、ギア比の異なるギアを噛み合わせることで、それぞれのストレッチローラ６１、６２の回転数を変えられるようにしている。このストレッチを行う場合、出口側（ロールベール９側）に設けられた第二ストレッチローラ６２の回転よりフィルムロール７側に設けられた第一ストレッチローラ６１を相対的に遅く回転させるようにしている。これにより、フィルムをストレッチさせながら繰り出してロールベール９に巻き付けることができるようになる。なお、このストレッチ部６の第一ストレッチローラ６１は、バネ６３を介してフィルムロール７の外周を押圧させるようになっており、これによって、フィルムロール７の慣性による自由回転を抑制し、無駄にフィルムが繰り出されるのを防止できるようにしている。
【００３１】
このように繰り出されたフィルムは、ターンテーブル２上で回転するロールベール９に巻き付けられ、その後、図８に示すように、ベール支持台２３を油圧シリンダー２４で後方に傾倒させて切断保持部８で切断される。この切断保持部８は、ベール支持台２３の端部に設けられており、ベール支持台２３を傾倒させることで、フィルムを下から束ねた状態で保持してカッターで切断できるようになっている。そして、このようにフィルムを切断した状態で、ロールベール９を後方に放出させる。このとき、切断保持部８では、次のロールベール９へのフィルムの巻き付けのために、フィルムの端部が保持された状態となる。
【００３２】
次に、このように構成されたラップマシーン１の使用方法について説明する。
【００３３】
まず、ロールベール９にフィルムを巻き付ける場合、そのフィルムの巻き付け対象となるロールベール９をターンテーブル２の上に載置するとともに、フィルム保持部４に複数本のフィルムロール７を挿入して保持させる。
【００３４】
このフィルムロール７を保持させる場合、挿入桿５を最も外側に位置させるように回転保持部４０を回転させ、その状態で固定部のピン４３を挿入して回転状態を固定する。すると、その状態で、上部フレーム４５側に設けられたフック４８の爪４８ａが退避部４７に退避可能な状態になり、フック４８による挿入桿５の係止状態を解除することができるようになる。また、これとともに、下部フレーム４２側に設けられたストッパー片４９を下方に倒し、これによって挿入桿５を車体の側方に傾倒させるようにする。そして、その挿入桿５に上からフィルムロール７を挿入させるようにする。このとき、７５ｃｍ幅のフィルムロール７を挿入させる場合は、挿入桿５の最下部に設けられた穴部５１にピン５２を差し込んで軸芯保持部５３でフィルムロール７を保持させ、一方、５０ｃｍ幅のフィルムロール７を挿入する場合は、挿入桿５の最下部もしくは下から二番目の穴部５１にピン５２を差し込んで軸芯保持部５３でフィルムロール７を保持させる。そして、このようにフィルムロール７を保持させた状態で挿入桿５を起立させ、上部フレーム４５の溝部４６に収容してフック４８で係止させる。
【００３５】
次に、このようにフィルムロール７を保持させた後、回転保持部４０の下方のピン４３を抜いて回転保持部４０を回転させ、未装填の挿入桿５が最も外側に位置した状態で再び下側のピン４３を挿入して回転保持部４０を固定する。そして、同様にしてフック４８やストッパー片４９を解除するとともに、挿入桿５の穴部５１を選択してピン５２を横から挿入し、軸芯保持部５３でフィルムロール７を保持させる。このとき、７５ｃｍ幅のフィルムロール７を保持させる場合は、図２に示すように、挿入桿５の最下部に設けられた穴部５１にピン５２を差し込んで軸芯保持部５３でフィルムロール７を保持させ、一方、５０ｃｍ幅のフィルムロール７を保持させる場合は、図３に示すように、先程のフィルムロール７と高さの異なる位置にピン５２を差し込んで軸芯保持部５３でフィルムロール７を保持させる。
【００３６】
以下、同様にして順次回転保持部４０を回転させながらフィルムロール７を保持させていく。そして、フィルムロール７を保持させるのと同時に、フィルムロール７の上端部を押圧部５４で押圧させて浮き上がりを防止する。
【００３７】
そして、このようにフィルムロール７を保持させた状態で、ストレッチ部６の第一ストレッチローラ６１をバネ６３を用いて内側のフィルムロール７に押圧させ、その状態でフィルムを第一ストレッチローラ６１や第二ストレッチローラ６２を介して切断保持部８までフィルムを繰り出すようにする。そして、その切断保持部８でフィルムの端部を保持させておくようにする。
【００３８】
このようにフィルムやロールベール９をセットした状態で、ターンテーブル２によってロールベール９を回転させる。すると、ターンテーブル２の切断保持部８に保持されたフィルムがターンテーブル２の回転によってロールベール９の外周に巻き付けられていく。このとき、ロールベール９は水平軸および鉛直軸に回転するため、その回転によってロールベール９の全体にフィルムを巻き付けることができるようになる。
【００３９】
そして、所定回数フィルムを巻き付けてターンテーブル２を所定の位置に停止させた後、図８に示すように、ベール支持台２３を後方に向けて傾斜させ、ロールベール９を後方に放出させる。このとき、ベール支持台２３を傾斜させると、ターンテーブル２に設けられた切断保持部８によってフィルムの端部が保持され、その後、ロールベール９側のフィルムが切断される。これによりロールベール９の放出が可能になる。
【００４０】
以下、同様にしてロールベール９の載置やフィルムの巻き付けを行うようにするが、このフィルムの巻き付け途中でフィルムがなくなった場合、回転保持部４０の下方のピン４３を抜いて回転保持部４０をいずれか一方に回転させ、新規のフィルムロール７を第一ストレッチローラ６１に最も近い位置まで移動させる。そして、再び下方のピン４３を挿入して回転状態を固定する。そして、そのフィルムロール７からフィルムを撮りだしてストレッチ部６にフィルムを通し、切断保持部８でそのフィルムの端部を保持させる。このとき、５０ｃｍ幅のフィルムロール７を段違いに用いている場合は、残っている方のフィルムロール７をそのまま用い、これに隣接するフィルムロール７からフィルムを繰り出してオーバーラップさせるようにストレッチ部６を通す。そして、同様に切断保持部８にそれらのフィルムの端部を保持させるようにする。
【００４１】
以下、同様にしてターンテーブル２を回転させてロールベール９にフィルムを巻き付けていき、ベール保持部を傾動させてロールベール９を放出する。
【００４２】
このように上記実施の形態によれば、フィルムロール７からフィルムを繰り出してロールベール９に巻き付けるラップマシーン１において、フィルムロール７からフィルムをストレッチさせながら繰り出すストレッチ部６と、当該ストレッチ部６にフィルムを供給するフィルムロール７用の挿入桿５とを備え、前記ストレッチ部６に隣接して平行に設けられた複数の挿入桿５を、前記ストレッチ部６の近傍まで移動させる回転保持部４０を設けるようにしたので、予備のフィルムロール７をストレッチ部６の一番近い位置に移動させ、そこからストレッチ部６で押圧させながらフィルムを繰り出していくことができるようになる。
【００４３】
また、回転保持部４０を用いて複数の挿入桿５を円弧状に移動させるようにしたので、狭い領域内に複数本のフィルムロール７を配置させることができるようになり、また、複数本の予備のフィルムロール７を保持した状態で、回転保持部４０の中心に荷重を掛けて、安定して複数本の予備のフィルムロール７を保持することができるようになる。
【００４４】
また、このような回転保持部４０を設ける場合、挿入桿５の位置を固定する固定部であるピン４３を設けるようにしたので、フィルムロール７をストレッチ部６に最も近い位置に固定して、そこから安定してフィルムを繰り出すことができるようになる。
【００４５】
また、最も外側に挿入桿５が位置した場合にのみ、当該挿入桿５の傾倒を許容するフック４８や退避部４７を設けるようにしたので、フィルムロール７を取り付けやすい位置でのみ挿入桿５を傾倒させることができ、フィルムロール７がトラクターやラップマシーン１などに当たってしまうようなことがなくなる。
【００４６】
なお、本発明は上記実施の形態に限定されることなく、種々の態様で実施することができる。
【００４７】
例えば、上記実施の形態では、回転保持部４０に同心円上に挿入桿５を取り付けて回転させるようにしたが、直線状に挿入桿５を平行に設け、これを横方向にスライドさせて挿入桿５の位置を移動させるようにしてもよい。あるいは、平行に設けられた２〜３本の挿入桿５を扇状に回転させることで、挿入桿５の位置を変えられるようにしてもよい。
【００４８】
また、上記実施の形態では、挿入桿５として一本の細長い棒状のものを用い、この上端部側をフック４８で係止させるようにしたが、上端部側と下端部側にそれぞれフィルムロール７の軸芯に嵌合する短い挿入桿を延出させ、これによってフィルムロール７を上下から挟み込んで保持させるようにしてもよい。
【００４９】
さらに、上記実施の形態では、フック４８を用いて挿入桿５の傾倒を防止させるようにしたが、これ以外にピンを挿入して挿入桿５の傾倒を防止させるようにしてもよい。
【符号の説明】
【００５０】
１・・・ラップマシーン
２・・・ターンテーブル
２１・・・ローラー
２２・・・ベルト
２３・・・ベール支持台
２４・・・油圧シリンダー
３・・・フィルムユニット
３１・・・支柱
４・・・フィルム保持部
４０・・・回転保持部
４１・・・溝部
４１ａ・・・ヒンジ
４２・・・下部フレーム
４３・・・ピン
４４・・・凹部
４５・・・上部フレーム
４６・・・溝
４７・・・退避部
４８・・・フック
４８ａ・・・爪
４８ｂ・・・バネ
４９・・・ストッパー片
５・・・挿入桿
５１・・・穴部
５２・・・ピン
５３・・・軸芯保持部
５４・・・押圧部
６・・・ストレッチ部
６１・・・第一ストレッチローラ
６２・・・第二ストレッチローラ
６３・・・バネ
７・・・フィルムロール
７１・・・フィルム
８・・・切断保持部
【図１】
2018157789.tif 000003
【図２】
2018157789.tif 000004
【図３】
2018157789.tif 000005
【図４】
2018157789.tif 000006
【図５】
2018157789.tif 000007
【図６】
2018157789.tif 000008
【図７】
2018157789.tif 000009
【図８】
2018157789.tif 000010